Podtech/llm-jp-corpus-v4-ja_patent huggingface dataset:
(57)【要約】      （修正有）【課題】製造装置や計測機器から収集したデータを解析し、パラメータの設定を事前に行うことなく、自動的に異常値を抽出する方法及びプログラムを提供する。【解決手段】入力されたデータの度数分布を求め、正規分布にフィッティングを行う。得られた正規分布の平均値および分散から、信頼区間の限界値を求める。入力されたデータに全てのうち、信頼区間内の値を入力されたデータの平均値に置換することで、信頼区間外の値（異常値）を抽出する。【選択図】図２
2018088225.tif 000002
【特許請求の範囲】
【請求項１】
アナログ波形データから異常値をパラメータ設定することなく抽出するシステム
【請求項２】
請求項１記載のシステムにおいて、アナログ波形データの分布を利用して異常値を抽出する方法。
【請求項３】
請求項２記載の方法において、アナログ波形データの分布を正規分布に近似して異常値を抽出する方法。
【発明の詳細な説明】
【技術分野】
【０００１】  本発明は、異常値抽出方法及びプログラムに関する。
【背景技術】
【０００２】  製造装置や計測機器から収集したアナログ波形データはデータの形状が常に変動しており、サイクリックな変動や機械的ノイズと、意味のある変動（異常値）とを分離する必要がある。【０００３】  一般的に異常値抽出のためのアナログ波形データの処理には、低周波成分もしくは高周波成分のみを抽出する方法が用いられている。これらの方法においては、カットオフ周波数を設定する必要があり、目的とする変動の周波数的特徴を知らなければ不可能であった。
【発明の概要】
【発明が解決しようとする課題】
【０００４】  従来のアナログ波形データ処理では、抽出したい情報の周波数的特徴を見極めながら、パラメータ（カットオフ周波数）の設定を事前に行っておく必要があった【０００５】  本発明は製造装置や計測機器から収集したデータを解析し、パラメータの設定を事前に行うことなく、自動的に異常値を抽出する方法及びプログラムを提供することを目的とする。
【課題を解決するための手段】
【０００６】  上記課題を解決するために、本発明はアナログ波形データの特徴を判別し、異常値を抽  出する機能を有する。
【発明の効果】
【０００７】  本発明によれば、事前のパラメータ設定を行うことなく、アナログ波形データの異常値を抽出することが可能になる。
【図面の簡単な説明】
【図１】投入データのイメージ
【図２】異常値抽出アルゴリズムのフローチャート
【図３】度数分布作成のフローチャート
【図４】投入データのヒストグラムおよび近似された正規分布曲線
【図５】変換後のデータイメージ
【発明を実施するための形態】
【０００８】  本発明の状態予測アルゴリズムをソフトウェアプログラムとして実装する。ＰＣ、ディスプレイを用意する。製造装置や計測機器等からログデータ（センサログ）を収集する。指定のデータ形式に変換されたデータを入力データとし、本発明のアルゴリズムを実装したソフトウェアプログラムを実行することで、パラメータ設定を行うことなく異常値を抽出可能である。図１は入力データのイメージを表す。
【０００９】  本発明の異常値抽出アルゴリズムについて、添付図面を参照しながら説明する。
【００１０】  図２は、本発明の異常値抽出アルゴリズムのフローチャートである。図２に示されるように、本発明のアルゴリズムは、入力データから度数分布を作成する工程と、作成された度数分布を正規分布にフィッティングする工程と、正規分布の信頼区間を求める工程と、信頼区間内の値を平均値に置換する工程を含む流れで構成されている。
【００１１】  度数分布を作成する工程では、データ総数の平方根をとり級数を定める。次に、入力されたデータを各階級に振り分ける。図３に度数分布を作成する工程のフローチャートを示す。
【００１２】  正規分布の確率密度関数を数１に表す。度数分布を正規分布にフィッティングする工程では、レーベンバーグ・マーカート法を用いて最小二乗問題を解き、傾きμと分散σ＾２を求める。なおフィッティングには他の手段を用いてもよい。図４に入力データのヒストグラム及びフィッティングされた正規分布曲線のイメージを表す。
【００１３】
【数１】
2018088225.tif 000003
【００１４】  先述のフィッティングを行う工程において、最小二乗問題の解が得られない場合は、本発明のアルゴリズムは入力データをそのまま出力して終了する。
【００１５】  正規分布の信頼区間を求める工程では、先述の工程により算出された傾き  μ  と分散σ＾２を用いて、指定された信頼係数に対応する信頼区間の両側信頼限界値を求める。
【００１６】  信頼区間内の値を平均値に置換する工程では、入力されたデータ全てに対して、先述の工程で算出された信頼区間内かどうかの判定を行う。データの値が信頼区間内に存在した場合、その値は入力されたデータの平均値に置き換えられる。
【００１７】  入力されたデータ全てに対して、信頼区間内の値を平均値に置換し終えたら、本発明のアルゴリズムは変換されたデータを出力して終了する。図５に変換後データのイメージを表す。
【図１】
2018088225.tif 000004
【図２】
2018088225.tif 000005
【図３】
2018088225.tif 000006
【図４】
2018088225.tif 000007
【図５】
2018088225.tif 000008
(57)【要約】      （修正有）【課題】魚のイカ角に装着した針の飲み込みが防止され、また、魚が鰭状羽部を銜えても吐き出し容易な、魚類の掛かり防止部材の提供。【解決手段】イカ角に装着する合成樹脂から成る魚掛かり防止部材１であって、前記魚掛かり防止部材１が、筒状装着部１ａと複数の鰭状羽部１ｂを有し、前記筒状装着部１ａと鰭状羽部１ｂとを連結部１ｃを介して形成したことを特徴とする魚類の掛かり防止具。【選択図】図１
2018088906.tif 000002
【特許請求の範囲】
【請求項１】
イカ角に装着する合成樹脂から成る魚掛かり防止部材であって、前記魚掛かり防止部材が、筒状装着部と複数の鰭状羽部を有し、前記筒状装着部と鰭状羽部とを連結部を介して形成したことを特徴とする魚類の掛かり防止部材。
【請求項２】
前記鰭状羽部を４つ乃至６つ形成したことを特徴とする請求項１に記載の魚掛かり防止部材。
【発明の詳細な説明】
【技術分野】
【０００１】  本発明は、イカ角に装着する合成樹脂から成る魚掛かり防止部材に関するものであり、特に、魚類のイカ角の針の飲み込み、イカ角の破損が防止されたイカ角に装着する魚掛かり防止部材に関する。
【背景技術】
【０００２】  従来、イカ釣りにおいて、複数の針を下方に広げて固定した魚型のイカ角を、樹脂製連糸で繋いで海中に投入してイカ釣りを行うが、その際、鯖などの魚が針を飲み込んで外れずにイカ角を損傷し、また、その状態で暴れ回るためにイカ角を繋ぐ樹脂製連糸が絡み、イカ釣りを阻害する。
このような鯖などのイカ角の針の飲み込みを防止するイカ角として、本出願人は先に、鰭（尾鰭）状羽部を有する掛かり防止部材をイカ角本体に取り付けた鯖掛かり防止イカ角を提案した（特許文献１）。
【先行技術文献】
【０００３】
【特許文献】
【特許文献】特許公開２０１５−０３９３７２号公報
【発明の概要】
【発明が解決しようとする課題】
【０００４】  前述した鯖掛かり防止イカ角は、鯖などの魚の口先が鰭状羽部に当たり、或いは鰭状羽部を飲み込んだ際に違和感で吐き出すことより、魚のイカ角の針の飲み込みを防止するものである。しかしながら、単に鰭状羽部を有する掛かり防止具をイカ角に装着しただけでは、鯖などの魚が針を飲み込む余地が未だ残っている。また、魚が鰭状羽部を銜えた際に吐き出しにくく、鰭状羽部を銜えて暴れ回るとイカ角を破損する可能性もある。そして、イカ角は複数本を樹脂製連糸で繋いで用いられるため高価であり、このような事態は費用が嵩み、また、仕掛けの交換に大変時間が掛かることになる。
本発明は、このような問題を解決するイカ角に装着する魚掛かり部材を提供するものである。
【課題を解決する手段】
【０００５】  イカ角に装着する合成樹脂から成る魚掛かり防止部材であって、前記魚掛かり防止部材が、筒状装着部と複数の鰭状羽部を有し、前記筒状装着部と鰭状羽部とを連結部を介して形成したことを特徴とする魚類の掛かり防止部材。
【０００６】  本発明の魚掛かり防止部材においては、前記鰭状羽部を４つ乃至６つ形成することが好ましい。
【発明の効果】
【０００７】  本発明のイカ角に装着する魚掛かり防止部材によれば、魚のイカ角に装着した針の飲み込みが確実に防止され、また、魚が鰭状羽部を銜えても吐き出し易く、さらに、魚が鰭状羽部を銜えて暴れ回ってもイカ角の破損が防止される。
【図面の簡単な説明】
【０００８】
【図１】本発明の魚掛かり防止部材の参考図。
【図２】本発明の魚掛かり防止部材の左側面図。
【図３】本発明の魚掛かり防止部材の右側面図。
【図４】本発明の魚掛かり防止部材をイカ角に装着する前の参考図。
【図５】本発明の魚掛かり防止部材をイカ角に装着した状態を示す参考図。
【発明を実施するための形態】
【０００９】  図１は本発明の魚掛かり防止部材の実施形態を示す参考図であって、魚掛かり防止部材１はポリカーボネートなどの合成樹脂から成り、一方に、魚掛かり防止部材１をイカ角に装着するための筒状装着部１ａを有し（図２参照）、他方に鯖などの魚がイカ角に装着した針を飲み込むのを防止する複数の鰭状羽部１ｂを有する（図３参照）。また、魚掛かり防止部材１の筒状装着部１ａと鰭状羽部１ｂとは、連結部１ｃを介して形成されている。
尚、本実施形態では、魚掛かり防止部材１の鰭状羽部１ｂは等間隔に４つ形成している。
【００１０】  そして、本発明の魚掛かり防止部材１は、筒状装着部１ａを有し、さらに連結部１ｃを有することと相まって、魚掛かり防止部材１をイカ角２に装着する際に、極めて容易に装着することができる。また、鰭状羽部１ｂは、筒状装着部１ａに連結部１ｃを介して形成されているため、掛かり防止部材１の鰭状羽部１ｂとイカ角に装着した針までの距離が長くなるため、魚の針の飲み込みがより一層防止される。さらに、魚が鰭状羽部１ｂを銜えた際に、或いは魚が鰭状羽部１ｂを銜えて暴れ回っても連結部１ｃが撓ることにより、鰭状羽部１ｂを銜えた際は吐き出し易く、一方、鰭状羽部１ｂを銜えて暴れ回った際はイカ角の破損が防止される。
【００１１】  前述した本発明の魚掛かり防止部材１の鰭状羽部１ｂの数は等間隔に４つ乃至６つ形成することが好ましく、４つ未満であると魚が鰭状羽部１ｂを銜えた際に鰓内部に突き刺さらずに鰓ブタから飛び出し易くなる。一方、６つを超えると形状が複雑となってイカの乗り（食いつき）が低下する。
【００１２】  図４及び図５は、本発明の魚掛かり防止部材１をイカ角２に装着する際の参考図であり、魚掛かり防止部材１の連結部１ｃを摘み、針２ｃが装着されたイカ角本体２ａ（魚型）の装着部２ｂに魚掛かり防止具１を装着してイカ角として使用される。
以上、本発明の魚掛かり防止部材を説明したが、本発明の魚掛かり防止部材は、その形状などは前述した形状に限定されず変更が可能である。
【産業上の利用の可能性】
【００１３】  本発明の魚掛かり防止部材は、イカ釣りに用いられるイカ角に装着する魚掛かり防止部材として使用することができる。
【符号の説明】
【００１４】  １  魚掛かり防止部材
２  イカ角
【図１】
2018088906.tif 000003
【図２】
2018088906.tif 000004
【図３】
2018088906.tif 000005
【図４】
2018088906.tif 000006
【図５】
2018088906.tif 000007
(57)【要約】【課題】半導体装置における拡散層は、不純物をイオン注入後、熱処理することによって形成されるが、深さ方向に均一な濃度で不純物を拡散することが困難なため、漏れ電流が大きく、耐圧が低いという問題があった。【解決手段】不純物拡散領域に、半導体溶解層と半導体非溶解層とを形成する。不純物拡散領域と基板との界面は半導体非溶解層とする。半導体溶解層と半導体非溶解層の境界には結晶欠陥を形成しない。これによって漏れ電流が小さく、耐圧が高い半導体装置を形成できる。【選択図】図２
2018088467.tif 000002
【特許請求の範囲】
【請求項１】
不純物拡散領域に、半導体溶解層と半導体非溶解層とが存在することを特徴とする半導体装置。
【請求項２】
前記純物拡散領域において、基板との界面の領域は前記半導体非溶解層であることを特徴とする請求項１に記載の半導体装置。
【請求項３】
前記半導体溶解層と前記半導体非溶解層の界面には、結晶欠陥が存在しないことを特徴とする請求項１から２に記載の半導体装置。
【請求項４】
前記半導体溶解層の表面には、結晶粒界が存在することを特徴とする請求項１から３に記載の半導体装置。
【請求項５】
前記半導体溶解層は、固体グリーンレーザーを照射して形成することを特徴とする請求項１から４に記載の半導体装置。
【発明の詳細な説明】
【技術分野】
【０００１】
本発明は、漏れ電流が少なく高い耐圧が得られる拡散構造を有する半導体装置に関する。
【背景技術】
【０００２】
半導体装置における不純物拡散層は、イオン注入後、注入した不純物を熱処理することで形成される。半導体装置の特性は拡散層の構造で決まるため、構造を制御して良好な電気特性を得るための検討が進められているが、深さ方向に均一な濃度分布を得ることが困難であり、このため漏れ電流が多く、高い耐圧が得られにくい。
【先行技術文献】
【特許文献】
【０００３】
【特許文献１】特開２０１４−８２３７８号公報
【発明の概要】
【発明が解決しようとする課題】
【０００４】
しかしながら、イオン注入によって半導体に注入した不純物を熱処理して拡散する場合、深さ方向に均一な不純物濃度分布が得られにくく、漏れ電流が多く、高い耐圧が得られないという問題がある。
【０００５】
本発明は、上記問題点を解決し、漏れ電流が少なく、高い耐圧が得られる半導体装置の拡散構造に関する。
【課題を解決するための手段】
【０００６】
イオン注後の不純物拡散領域の中に、半導体結晶を一旦溶解し、その後凝固した半導体溶解層を形成する。
【発明の効果】
【０００７】
本発明の構造によれば、深さ方向に均一な不純物濃度分布が得られるため、漏れ電流が少なく高い耐圧が得られる半導体装置が得られる。
【図面の簡単な説明】
【０００８】
【図１】従来の半導体装置の拡散構造である。
【図２】本発明の半導体装置の拡散構造である。
【図３】従来構造と本発明の構造の不純物拡散濃度プロファイルである。
【発明を実施するための形態】
【０００９】
以下、本発明の実施の形態となる構造について説明する。
【実施例１】
【００１０】
１に従来の半導体の拡散層の構造を、図２に本発明の拡散層の実施例１の構造を示す。実施例１では、Ｎ型基板７にＰ型の不純物を拡散し、不純物拡散領域６を形成する構造になっているが、Ｐ型の基板にＮ型の不純物拡散領域を形成する構造でも良い。従来構造では、不純物拡散領域６には、半導体非溶解層４のみが存在したが、本発明の実施例１の構造は図２に示すように、不純物拡散領域６に、半導体結晶を一旦溶解して凝固した半導体溶解層２と、半導体非溶解層４の２つが存在する。このように、イオン注入後、不純物拡散領域６に半導体溶解層２を形成することで不純物を均一な濃度で凝集でき、これによって深さ方向に均一な濃度プロファイルを得ることができる。
また、半導体溶解層２と非溶解層４の界面３には結晶欠陥が存在しない構造が好ましい。これによって結晶欠陥に起因するリーク電流を低減することができる。また、不純物拡散領域６と接する基板７との界面５は、半導体非溶解層４であることが好ましい。この構造によってＰＮ接合において空乏層を広く伸ばすことができ、高耐圧を得ることができる。また、半導体表面層に、半導体溶解層を形成する際に結晶粒界１を形成すると半導体と電極との接触面積を大きくできるため、接触抵抗を下げることができる。
図３に従来構造と本発明の構造の深さ方向の不純物濃度プロファイルを示す。本発明の構造は従来構造と比較して、不純物拡散濃度が深さ方法に均一な分布を持っていることがわかる。本発明の構造は、不純物をイオン注入後、半導体表面からレーザーを照射処理することで形成できる。例えば固体グレーンレーザーを用いて、ビームサイズ、0.25mm×2.5mm、波長532nmで照射エネルギー0.5から3.0J/cm2で処理することで形成できる。この拡散構造はＭＯＳ、ＩＧＢＴのベース層、ダイオード、ＩＣ拡散層など広い素子の不純物拡散領域に適用可能で、この構造の拡散層を形成することで、漏れ電流が少なく耐圧の高い素子を形成することができる。
【符号の説明】
【００１１】
１、結晶粒界、
２、半導体溶解層 
３、半導体溶解層と非溶解層の界面
４、半導体非溶解層
５、不純物拡散領域界面
６、不純物拡領域（Ｐ型）
７、基板（Ｎ型）
【図１】
2018088467.tif 000003
【図２】
2018088467.tif 000004
【図３】
2018088467.tif 000005
(57)【要約】【課題】高音質を楽しむために４系統音声信号への変換図を提供する。【解決手段】３つのステレオエフェクターを４系統音声信号に変換することを特徴とする【選択図】図１
2018088710.tif 000002
【特許請求の範囲】
【請求項１】
ステレオエフェクターによる４系統音声信号への変換図
【発明の詳細な説明】
【技術分野】
【０００１】この発明は、音楽機器の４系統音声信号への変換図に関するものである。
【背景技術】
【０００２】従来、音楽機器は２系統音声信号である
【先行技術文献】
【０００３】
【特許文献１】
【非特許文献１】
【発明の概要】
【発明が解決しようとする課題】
【０００４】これは次のような欠点があった。
（イ）４系統音声信号に変換するのが難しかった
本発明は、以上のような欠点をなくすためになされたものである。
【課題を解決するための手段】
【０００５】音声信号を４つに分けなければならない
本発明は、以上の構成よりなる４系統音声信号への変換図である。
【発明の効果】
【０００６】（イ）高音質で音楽を楽しめる
【図面の簡単な説明】
【０００７】
【図１】本発明の見取り図である。
【発明を実施するための形態】
【０００８】以下、本発明を実施するための最良の形態について説明する。
（１）モノラル音声から（２）１つのステレオエフェクターで２系統音声に分け、その１系統音声ずつに２つのステレオエフェクターをつなぎ（３）４系統音声信号に変換する。
本発明は以上のような構造である。
【符号の説明】
【０００９】１  モノラル音声
２  ステレオエフェクター
３  ４系統音声信号
【図１】
2018088710.tif 000003
(57)【要約】【課題】  仕掛け絵本やパズル形式でなく、見て触って日常の身近な言葉を理解させる。【解決手段】  従来の絵本形式でなく、素材別にカード形式にし、触る見ることで言葉や意味を体感させる。【選択図】図１
2018049248.tif 000002
【特許請求の範囲】
【請求項１】
言葉だけで説明してもわかりにくい単語を実物の素材を基にし、カード形式にした触れて見る本
【発明の詳細な説明】
【技術分野】
【０００１】  本発明は手で触れて素材の本質を知る本である。
【背景分野】
【０００２】  従来の手で読む本では、素材の数が少なかったり、それだけを取り出して多数の人に示すことが無理なことがあった。
【先行技術文献】
【特許文献】
【０００３】
【特許文献１】特開２００４−９７３１４（Ｐ２００４−９７３１４Ａ）
【非特許文献】
【０００４】
【非特許文献１】きねずみくんのかくれんぼ（しかけえほん  発行所  大日本絵画  発行日  １９９２年）
【発明の概要】
【発明が解決しようとする課題】
【０００５】  市販されている仕掛け絵本は、実施例が少なく絵本の読み聞かせや音楽の表現指導の時、言葉の意味が上手く伝えられず困った事が多くあった。
【課題を解決するための手段】
【０００６】  本発明は、伝えたい言葉を説明をするために素材ごとに一つずつカード形式で独立させ、見せたり触れたりできるようにした。日常使われているゴムについては、平ゴムでレース状の物や、ひも状のゴム、色つきの輪ゴムをひも状に編んである物等を組み合わせ想像を広げられるように作成した。「ふわふわ」「柔らかい布」「少し厚手の布」等は、両手ではさんで感触を確かめれるように袋状に作成し、十分堪能できるようにした。レースにも窓を想像できるように中心が分けられている。
【発明の効果】
【０００７】    本発明は、一つずつカード形式で独立させたので、問題のある課題分だけの素材を自分のバックに入れて持ち運べるので便利である。「ざらざら」のように指先で触れるものや、凹凸のように見るだけでわかる物でも、色が柔らかなものを配し親しみを１持たせるようにした。
【図面の簡単な説明】
【０００８】
【図１】  本発明の素材  レース布
【図２】  本発明の素材  ゴム
【図３】  本発明の素材  和紙  素材は複数あるが、代表的に３件図面で表した
【発明を実施するための形態】
【０００９】  絵本等を読んでいて、狼の舌が「ざらざら」であると、出てきた場合に、その「ざらざら」を言葉では説明しにくいので、本件発明のカードの「ざらざら」を指先でそっと触れさせると即時に「ざらざら」を体で覚える。
又、カードの上部をゴム磁石を使っている。そして、素材を入れるケースもゴム磁石で作成しているので、カード形式のゴム磁石の威力により、移動の時もカード素材は安定している。
【符号の説明】
【００１０】１  ゴム磁石
２  レース
３  １センチ幅の平ゴム
４  輪ゴムを編んだひも状ゴム
５  ２センチ幅のレース様平ゴム
６  ３センチ幅のレース様平ゴム
７  和紙
８  素材の名称
【図１】
2018049248.tif 000003
【図２】
2018049248.tif 000004
【図３】
2018049248.tif 000005
(57)【要約】【課題】スタンドを携帯しなくてもカードを利用することでカメラを所定の角度にセットできるスマートフォンケースを提供する。【解決手段】スマートフォンケース１はスマートフォン２００を収容し、スマートフォン２００を収容するケース１０と、ケース１０の１つの側面から外方向に延出し、所定のカード１００を保持可能な保持部２０とを備え、保持部２０は、所定のカード１００を、カメラ２１０が向く方向（例えば、図３に示すＦ１）と直交する方向（図３に示すＦ２）に向いた状態で保持する。【選択図】図３
2018049249.tif 000002
【特許請求の範囲】
【請求項１】
スマートフォンを収容するスマートフォンケースであって、スマートフォンを収容するケースと、ケースの１つの側面から外方向に延出し、所定のカードを保持可能な保持部とを備え、保持部は、所定のカードを、カメラが向く方向と直交する方向に向いた状態で保持するスマートフォンケース。
【請求項２】
保持部は、所定のカードの互いに対向する側線に、それぞれ係合する一対の爪である請求項１に記載のスマートフォンケース。
【発明の詳細な説明】
【技術分野】
【０００１】この発明は、スマートフォンケースに関するものである。
【背景技術】
【０００２】  従来のスマートフォンスタンドはスマートフォンに例えば支える別部材を付加し使用していたので携帯しづらかった。また、写真や動画を撮る場合や視聴するときに、内向き又は外向きのカメラを所定の角度にセットしずらかった。
【発明の概要】
【発明が解決しようとする課題】
【０００３】スタンドを携帯しなくてもカードを利用することでカメラを所定の角度にセットできるスマートフォンケースを提供することを目的とする。
【課題を解決するための手段】
【０００４】スマートフォンを収容するスマートフォンケースであって、スマートフォンを収容するケースと、ケースの１つの側面から外方向に延出し、所定のカードを保持可能な保持部とを備え、保持部は、所定のカードを、カメラが向く方向と直交する方向に向いた状態で保持するスマートフォンケース。
【発明の効果】
【０００５】スタンドを携帯しなくてもカードを利用することでカメラを所定の角度にセットできるスマートフォンケースを提供できる。
【図面の簡単な説明】
【０００６】
【図１】本発明の正面図
【図２】本発明の背面図
【図３】本発明の使用状態を示す斜視図
【図４】本発明の使用状態を示す斜視図
【図５】本発明の使用状態を示す斜視図
【発明を実施するための形態】
【０００７】スマートフォンケース１はスマートフォン２００を収容し、スマートフォン２００を収容するケース１０と、ケース１０の１つの側面から外方向に延出し、所定のカード１００を保持可能な保持部２０とを備え、保持部２０は、所定のカード１００を、カメラ２１０が向く方向（例えば、図３に示すＦ１）と直交する方向（図３に示すＦ２）に向いた状態で保持する。
【０００８】保持部２０は、所定のカード１００の互いに対向する側縁に、それぞれ係合する一対の爪２１である。なお、保持部２０は、爪形状に限らず、環状、ひも状等の任意の形状とすることができる。
【０００９】このようなスマートフォンケース１によれば、スマートフォンを携帯する際、カード一枚あれば、スマートフォンを立たせるスタンドを用意しなくとも、何処でも簡単にカードがスタンドの代用になるので便利である。
また、写真や動画を撮る場合や視聴するときに、内向き又は外向きのカメラを所定の角度に簡単にセットができる。
【符号の説明】
【０００１０】１      スマートフォンケース
１０    ケース
２０    保持部
２１    爪
１００  所定のカード（所定のカードにはテレフォンカード、クレジットカードが含まれる）
２００  スマートフォン
２１０  カメラ
【図１】
2018049249.tif 000003
【図２】
2018049249.tif 000004
【図３】
2018049249.tif 000005
【図４】
2018049249.tif 000006
【図５】
2018049249.tif 000007
【手続補正書】
【提出日】平成29年9月11日(2017.9.11)
【手続補正１】
【補正対象書類名】特許請求の範囲
【補正対象項目名】請求項２
【補正方法】変更
【補正の内容】
【請求項２】
保持部は、所定のカードのお互いに対向する側縁に、それぞれ係合する一対の爪である請求項１に記載のスマートフォンケース。
(57)【要約】【課題】高速バスや特急電車に乗った時にタブレット端末で映画鑑賞を楽しむため、前方座席の背もたれの裏側にある取手や格納してあるテーブルに掛けて設置する映画鑑賞用タブレットスタンドを提供する。【解決手段】タブレット端末を保持するクリップ部と掛けることができる脚から構成され、１本の針金をタブレット端末のサイズに合わせて曲げて作製する。タブレット端末を座席の正面に設置でき前席の背もたれの角度に合わせて脚の角度を変えることで、距離と角度が適正に保つことができる。これはタブレットを持たずにリラックスして映画を鑑賞する為の映画鑑賞用タブレットスタンドである。【選択図】図３
2018049577.tif 000002
【特許請求の範囲】
【請求項１】
針金ハンガーの様な柔軟性のある針金を使い、タブレットの幅に合わせて左右両側を立ち上げタブレットの高さに合わせてアールを付けて（１ｂ）折り返す。立ち上げた高さ分だけ折り返したところでタブレットの厚みに合わせてタブレットを保持するクリップ部（１ａ）を設ける。また、液晶画面の傷を防ぐ為に針金先端にキャップ（２）をして保護する。取手やテーブルに掛ける脚の部分（１ｂ）とタブレットを保持するクリップ部（１ａ）で構成され、タブレットスタンドの脚を掛けることを特徴とした映画鑑賞用タブレットスタンド
【発明の詳細な説明】
【技術分野】
【０００１】  本発明は、高速バスや特急電車などの車内おいてタブレット端末で映画を快適に鑑賞する為の映画観賞用タブレットスタンドに関するものである。
【背景技術】
【０００２】  従来、タブレットスタンドはタブレットをテーブルなどに自立させるもの（特許文献１）であるが、手でも保持できる様にしたもの（特許文献２）（特許文献３）や自動車のハンドルに立て掛けるもの（特許文献４）など様々なものが存在する。
【先行技術文献】
【０００３】
【特許文献１】特開２０１３−１７１５６３号公報
【特許文献２】特開２０１６−１３１３０７号公報
【特許文献３】特開２０１６−１３６６７４号公報
【特許文献４】特開２０１２−２７６２９号公報
【発明の概要】
【発明が解決しようとする課題】
【０００４】  従来のタブレットスタンドは次のような欠点があった。
高速バスや特急電車などに乗車しタブレットで映画を観ようとした時、備え付けのテーブルがあれば従来のタブレットスタンドをテーブルに置いて観ることができるが、テーブルに置くと車両の揺れにより落下する危険性があることや画面が目線より低くなり観にくいなどの不都合が生じる。また、通路側の座席でテーブルを使用すれば窓側の乗客が座席を離れる時に邪魔になり、その都度片付けるのが面倒であった。これでは長時間乗車する時にリラックスして映画を楽しむことが出来ない。また、テーブルが無い座席の場合はタブレットを手で持ちながら観るしかなく、長時間観ていると腕が疲れリラックスすることが出来ない。
本発明は、これらの問題を解決するためになされたものである。
【課題を解決するための手段】
【０００５】  高速バスや特急電車の前方座席の背もたれ裏側の取手（図３）や格納してあるテーブル（図４）にタブレットスタンドの脚を掛けることが出来る構造にすることで解決する。
取手やテーブルに掛ける脚の部分（１ｂ）とタブレットを保持するクリップ部（１ａ）で構成され、取手やテーブルに掛けるだけの簡単な構造だが、前席の背もたれの角度が一定でないことや取手の形状やテーブルの取り付け方が違うなど様々な状況に、柔軟性のある針金で作製することでタブレットスタンドを変形させて対応する。
本発明は、以上の構成よりなる映画観賞用タブレットスタンドである。
【発明の効果】
【０００６】  タブレットを座席の正面に設置することになり、画面までの距離と角度が適正に保たれるので（図７・図８・図９）、タブレットを持たずにリラックスして映画を鑑賞できる。
また、通路側の座席の場合でもテーブルを格納したまま使用でき、窓側の乗客が座席を離れる時にもテーブルを片付けなくても良くなる。
材料が針金なので費用が安く、軽量で持ち運びやすく壊れにくい。
【図面の簡単な説明】
【０００７】
【図１】  本発明の斜視図
【図２】  本発明にタブレット装着した斜視図
【図３】  本発明を高速バスの取手で使用した斜視図
【図４】  本発明を特急電車のテーブルで使用した斜視図
【図５】  本発明を自動車のハンドルで使用した斜視図
【図６】  本発明に吸盤を取付けてタブレットを装着した斜視図
【図７】  高速バスの座席に本発明を垂直に設置した側面図
【図８】  高速バスの座席に本発明を斜めに設置した側面図
【図９】  高速バスの座席を倒して本発明を設置した側面図
【発明を実施するための形態】
【０００８】  以下、本発明を実施するための形態について説明する。
１本の針金ハンガーの様な柔軟性のある針金を使いタブレットの幅に合わせて左右両側を立ち上げタブレットの高さに合わせて折り返す。折り返しは丸み（１ｂ）を付けることで掛けた時の収まりが良くなる。立ち上げた高さ分だけ折り返したところでタブレットの厚みに合わせてタブレットを保持するクリップ部（１ａ）を設ける。この形状によりテーブルのロック部を避けて設置することを可能とする。また、液晶画面の傷を防ぐ為に針金先端にキャップ（２）をして保護する。
本発明は、以上のような構造である。
本発明を使用するときは、高速バスの前席背面の取手（図３）や特急電車の前席背面に格納してあるテーブル（図４）にタブレットスタンドを掛けることで座席の正面に設置できる。前席の背もたれの角度に合わせて脚の角度（１ｂ）を変えることでタブレットの画面を見やすい角度に変えることが可能（図７・図８・図９）である。また、車両の振動などでタブレットがガタつき不安定な時はクリップ部（１ａ）をつまんで幅を狭くすることでタブレットのガタつきと前面に倒れることを防止できる。
手帳型ホルダーを使用しているなどクリップ部（１ａ）で挟みにくい場合は吸盤（７）を取り付けて固定（図６）する。
また、卓上スタンド（図２）としても使用できることはもとより、自動車の運転席で停車中にハンドルに設置（図５）することも可能である。さらにはタブレットが防水仕様の場合には（図３）の要領で浴室のタオル掛けを利用して入浴しながら使用するなど掛ける場所があれば用途を広げることができる。
【符号の説明】
【０００９】１    タブレットスタンド
１ａ  タブレットスタンドのクリップ部
１ｂ  タブレットスタンドの角度調節部
２    液晶画面保護キャップ
３    タブレット
４    高速バスの取手
５    特急電車のテーブル
６    自動車のハンドル
７    吸盤
８    高速バスの座席
【図１】
2018049577.tif 000003
【図２】
2018049577.tif 000004
【図３】
2018049577.tif 000005
【図４】
2018049577.tif 000006
【図５】
2018049577.tif 000007
【図６】
2018049577.tif 000008
【図７】
2018049577.tif 000009
【図８】
2018049577.tif 000010
【図９】
2018049577.tif 000011
(57)【要約】【課題】毛細血管の数を増やすことで毛細血管の健全性を高める毛細血管増加剤を提供すること。【解決手段】本発明の毛細血管増加剤は、ＬＰＳ（リポ多糖）を有効成分として含有することを特徴とする。本発明によれば、毛細血管の数が増える。したがって、体の隅々まで栄養素や酸素が行き渡り、冷え感、むくみ、静脈瘤の予防・改善のほか、肌のアンチエイジングの効果が期待できる。【選択図】図１
2018104389.tif 000002
【特許請求の範囲】
【請求項１】
ＬＰＳを有効成分として含有することを特徴とする毛細血管増加剤。
【発明の詳細な説明】
【技術分野】
【０００１】
本発明は、毛細血管の数を増加させる毛細血管増加剤に関する。
【背景技術】
【０００２】
毛細血管は、末梢部位まで網目状にはりめぐらされている細い血管であり、体の隅々まで栄養、酸素、ホルモン等を運ぶ役割とともに、水分、体温の調節にも関与している。このため毛細血管の健全性は健康や美容にも影響する（非特許文献１）。毛細血管は、直径５〜１０ミクロンの細さであるため、老廃物により詰まりやすく、さらに加齢とともに減少したり、毛細血管壁がもろくなって血液が漏れ出ることもある。毛細血管の働きが悪いと、冷え症やほてりを感じたり、むくみや静脈瘤、肌の老化の原因ともなる（非特許文献２）。
【０００３】
毛細血管の働きを正常化するにあたり、ウオーキング、スキップ、かかとの上げ下ろしなどの適度な運度や、ふくらはぎのマッサージ、入浴等によって血流速度をあげることが効果があるとされている（非特許文献１）。また、血管新生因子の受容体であるTie2（Tyrosine Kinase with Ig and EGF Homology Domain 2）を活性化させることが、劣化した毛細血管壁を修復して丈夫にするために有効であるとされている（非特許文献３）。Tie2増加作用のある物質としては、ケイヒ（シナモン）、ヒハツが知られている（特許文献１、非特許文献４）。
【先行技術文献】
【特許文献】
【０００４】
【特許文献１】特開２００９−２６３３５８号公報（請求項７、段落００１４）
【非特許文献】
【０００５】
【非特許文献１】「ガッテン！  2016年7月13日”アンチエイジングの新常識  毛細血管ケアＳＰ”」、［online］、ＮＨＫ、［平成２８年１２月２５日検索］、インターネット<URL:http://www9.nhk.or.jp/gatten/articles/20160713/index.html?c=health>
【非特許文献２】「毛細血管について知ろう」、［online］、あっと株式会社、［平成２８年１２月２５日検索］、インターネット<URL:http://lab.kekkan-bijin.jp/know.html>
【非特許文献３】「資生堂、加齢による皮膚毛細血管の機能低下が皮膚老化に関与していることを解明  低下した皮膚毛細血管の機能を回復させる成分「ケイヒエキス」を開発」、［online］、資生堂、［平成２８年１２月２５日検索］、インターネット<URL:https://www.shiseidogroup.jp/releimg/1693-j.pdf#search=%27http%3A%2F%2Fwww.shiseido.co.jp%2Freleimg%2F1693j.pdf%27>
【非特許文献４】「Tie2というタンパク受容体を活性化する植物エキス（ヒハツ）の存在」、［online］、全研本社、［平成２８年１２月２５日検索］、インターネット<URL:https://www.e-expo.net/contents/c/tie2/page02.html>
【発明の概要】
【発明が解決しようとする課題】
【０００６】
一方、毛細血管の血流速度をあげたり劣化修復をすることとは別に、加齢とともに数が減少すると言われる毛細血管の数を増やすことができれば、健康上及び美容上のトラブルの予防と改善に効果があると考えられるが、毛細血管の数を増やす因子についてはこれまで知られていない。
【０００７】
本発明は、上記問題点に鑑み、毛細血管の数を増やすことで毛細血管の健全性を高める毛細血管増加剤を提供することを目的とする。
【課題を解決するための手段】
【０００８】
本発明の毛細血管増加剤は、ＬＰＳ（リポ多糖）を有効成分として含有することを特徴とする。
【発明の効果】
【０００９】
本発明によれば、毛細血管の数が増える。したがって、体の隅々まで栄養素や酸素が行き渡り、冷え感、むくみ、静脈瘤の予防・改善のほか、肌のアンチエイジングの効果が期待できる。
【図面の簡単な説明】
【００１０】
【図１】試験品と対照品の摂取による指先の毛細血管数の変化を示す図である。
【発明を実施するための形態】
【００１１】
以下、添付図面を参照しながら本発明を実施するための形態について詳細に説明する。
【実施例１】
【００１２】
下記のように、ＬＰＳを有効成分として含む錠剤、または含まないプラセボ錠剤のいずれかを、ダブルブラインドで３か月間摂取する前後において、爪下の毛細血管の顕微鏡写真を撮影し、一定の視野内における毛細血管の本数を比較した。測定は摂取前と３か月摂取後の２度行われた。図１は、測定結果を、摂取前の指先の毛細血管数を１とする相対値で示す。統計解析はマンホイットニーのＵ検定を使った。
【００１３】
・対象者：年齢が２０歳以上７４歳以下の男女で、健康診断で測定する血液マーカー数値が正常から境界域に入る健常人５２名（女性３４人、男性１８人）。
・試験品：パントエア・アグロメランス由来ＬＰＳを２５０μｇ配合した８ｍｍ径、２００ｍｇの錠剤型サプリメント（デキストリン、還元麦芽糖、セルロース、ステアリン酸カルシウムからなる）。対照品は、ＬＰＳをデキストリンに置き換えたサプリメント。
・摂取方法：１日１回、原則夕食前に２錠を摂取
・摂取期間：３か月
・試験デザイン：ランダム化並行群間ダブルブラインド試験
・調査項目：左薬指の爪下の毛細血管の密度（一定視野内の毛細血管数）
・調査方法：毛細血管観察装置（あっと株式会社）による顕微鏡画像のビデオ撮影
【００１４】
その結果、ＬＰＳを有効成分として含む錠剤を摂取したグループは、プラセボ錠剤を接種したグループと比べて、毛細血管数が有意差をもって（Ｐ＝０．０３６）増加したことが認められた。
【実施例２】
【００１５】
実施例１と同様のダブルブラインド試験において、冷え感について、視覚的アナログ尺度（visual analogue scale=ＶＡＳ）を用いる自己評価にて、摂取前と摂取後の調査を行った。その結果、冷えを感じる人数が、試験品群では摂取前２１人から摂取後１６人に変化した。対照品群では摂取前１９人、摂取後１７人であった。このことから、試験品群には冷えを改善する効果があることが示された。
【００１６】
なお、本発明は上記実施例に限定されるものではない。
【図１】
2018104389.tif 000003
(57)【要約】【課題】従来の男性下着は着用していると、重力により陰茎が下向きになってしまい、陰嚢と接触して蒸れたり、不安定による不快感が有った強く締め付けたりポケットを着けたりして工夫をしたものは有ったが動いているうちに下向きになってしまったり、強く締め付けることにより、長時間身に着けていると大変不快感があった【解決手段】男性下着の陰茎の当たる所に滑り止めとして、ゴム、シリコン、網、滑りにくい布等を付けることにより陰茎が大変安定する【選択図】図１
2018104872.tif 000002
【特許請求の範囲】
【請求項１】
男性下着の陰茎の接触する部分に滑りにくい材質の、ゴム、シリコン、網、滑りにくい布、等を取り付け陰茎が上下左右に動きにくくする
【発明の詳細な説明】
【技術分野】
【０００１】男性の陰茎を上向きに保つ男性下着
【背景技術】
【０００２】従来の男性下着は陰茎が固定されにくく履いて動いていると段々下向きになってしまい、陰茎が伸びたり縮んだり変形することにより下向きに曲がったり、陰嚢に着き不快感が有った
【発明の概要】
【発明が解決しようとする課題】
【０００３】男性の陰茎を常に上向きに安定させる
【課題を解決するための手段】
【０００４】男性の陰茎の当たる所に滑り止め（ゴム、シリコン、網、滑りにくい布等）を着け上下左右に動きにくくする
【発明の効果】
【０００５】男性の陰茎が滑り止めにより大変動きにくくなる
従来の男性下着の様に強く締め付けたりしなくても陰茎と下着がくっ付く事により動きにくくなるため、立ったり座ったり、陰茎が伸び縮みしても大変動きにくくなる
締め付けがないため、陰嚢が蒸れにくく開放感がある
【図面の簡単な説明】
【０００６】
【図１】斜め上から見た図  男性下着１に陰茎の当たる部分に滑り止め２を着けてある
【図２】男性下着を裏返して正面から見た図
【図３】横から見た図
【符号の説明】
【００７】１  男性下着
２  滑り止め
３  陰茎
４  陰嚢
【図１】
2018104872.tif 000003
【図２】
2018104872.tif 000004
【図３】
2018104872.tif 000005
(57)【要約】【課題】不織布のプリーツ型マスク上辺付近の隙間をなくし、女性の口の部分に口紅が付くことで不快になることを防止する不織布のプリーツ型マスクに装着する当て布を提供する。【解決手段】  鼻と口を被覆する立体の当て布Ａであって、上部付近の中央部分４ｂと両端部分５ｂ、６ｂに両面テープを貼ってなり、不織布のプリーツ型マスク１の顔面覆い部の上辺２付近の位置に装着して用いる。当て布Ａは、たて中心部分にハサミ入れ開くことで立体形状を有し、上部の縫い代の中に中央部分は除き、綿を詰めることで、不織布のプリーツ型マスク１の顔面覆い部上辺２と、当て布Ａの隙間が解消できる。当て布Ａの材質は、ダブルガーゼまたはオーガニックコットンとする【選択図】図２
2018104875.tif 000002
【特許請求の範囲】
【請求項１】
鼻と口を被覆する立体の当て布（Ａ）であって、上部付近の中央部分（４ｂ）と両端部分（５ｂ、６ｂ）に両面テープを貼ってなり、不織布のプリーツ型マスク（１）の顔面覆い部の上辺（２）付近の位置に装着して用いることを特徴とする当て布（Ａ）。
【請求項２】
当て布（Ａ）のたて中心部分にハサミを入れ開くことで立体形状を有し、上部の縫い代の中に中央部分は除き、綿（７）を詰めることで、不織布のプリーツ型マスク（１）の顔面覆い部の上辺（２）と、当て布（Ａ）の隙間が解消できることを特徴とする請求項１に記載の当て布（Ａ）。
【請求項３】
当て布（Ａ）を装着するときは、当て布（Ａ）の中央部分（４ｂ）を、不織布のプリーツ型マスク（１）の顔面覆い部の上辺（２）の中央部分（４ａ）に貼り、当て布（Ａ）の両端部分（５ｂ、６ｂ）は、不織布のプリーツ型マスク（１）の両端部分（５ａ、６ａ）に、顔面覆い部の上辺（２）より少し下の位置に、ピンと張らずに少しゆとりを持ち、鼻に沿うように装着することを特徴とする請求項１または２に記載の当て布（Ａ）。
【請求項４】
当て布（Ａ）の材質は、ダブルガーゼまたはオーガニックコットンであることを特徴とする請求項１〜３のいずれかの一項に記載の当て布（Ａ）。
【発明の詳細な説明】
【発明の詳細な説明】
【技術分野】
【０００１】  本発明は、不織布のプリーツ型マスクに、鼻、口に接する側に取替え可能な当て布を装着することに関するものである。
【背景技術】
【０００２】  従来不織布のプリーツ型マスクは、顔面覆い部の上辺に少しの隙間ができ、口の部分は口紅が着いて不快を感じていた。
【発明の概要】
【発明が解決しようとする課題】
【０００３】  従来の不織布のプリーツ型マスクは、次のような欠点があった。
（イ）マスクの顔面覆い部の上辺に少しの隙間が生じていた。
（ロ）女性は、マスクをすると、口が接する部分に口紅が付着し、不快を感じていた。
本発明は、これらの問題点を解決するためになされたものである。
【問題を解決するための手段】
【０００４】  不織布のプリーツ型マスクの顔面覆い部の上辺付近の裏面に、鼻と口を被覆する立体にした当て布の上部付近の三箇所に、両面テープを貼着し、鼻のカーブに沿うように装着することを特徴とする替えマスク。
【０００５】  当て布の型紙は、たて中心部分にハサミを入れ開、立体に、仕上げたことで、鼻や口を圧迫することがなく、不快な息苦しさを解消することができ、当て布の上部の縫い代の中に、中央部分は除き綿を詰めることで、不織布のプリーツ型マスクの顔面覆い部の上辺と、当て布の隙間がなくなることを特徴としている。
【０００６】  当て布を装着するときは、当て布の中心部分を、まずマスクの顔面覆い部の上辺の中央部分に貼り、当て布の両端部は、マスクの顔面覆い部の上辺の少し下の位置に、ピンと張らずにゆとりを持って貼るとより鼻に沿って装着できることを特徴としている。
【０００７】  当て布の材質は、ダブルガーゼ、オーガニックコットンで仕上げており、洗濯が可能になることで、何回も使用可能になる。
【発明の効果】
【０００８】  不織布のプリーツ型マスクに、鼻と口の部分を被覆する立体になっている当て布を貼着することで、顔面覆い部の上辺部の隙間が改善され、口に接する部分は、口紅が付着しても洗うことで、何回も取替え可能になる。
【図面の簡単な説明】
【０００９】
【図１】  本発明の当て布を装着した状態を示す斜視図
【図２】  本発明の当て布を装着した状態を裏面側から見た斜視図
【図３】  本発明の当て布を作る前の段階の平面図
【図４】  本発明の当て布を裏面側から見た平面図
【図５】  本発明の当て布を装着した状態の平面断面図
【発明を実施するための形態】
【００１０】  本発明を実施する最適と思われる形態を図面に参照して説明する。図１は、当て布を装着した状態を示した斜視図である。図１の替えマスク（Ａ）は、不織布のプリーツ型マスク（１）の顔面覆い部の上辺（２）の（４ａ、５ａ、６ａ）を、当て布（Ａ）の（４ｂ、５ｂ、６ｂ）にしっかり装着する。
【００１１】  上記不織布のプリーツ型マスク（１）、当て布（Ａ）の、中心部（４ａ）、（４ｂ）を装着し、両端部（５ａ）（６ａ）と、（５ｂ）（６ｂ）を装着するときは、顔面覆い部の上辺（２）より少し下の部分に装着することで、より鼻にフィットして、顔面覆い部の上辺（２）の隙間が改善される。
【００１２】  図３は、当て布（Ａ）の、点線の部分をハサミでカットして開くことで立体の状態になる型紙で、鼻、口を圧迫することなく、不快な息苦しさをなくし、当て布（Ａ）上部の縫い代の中に中央部分は除き、綿を詰めることで、不織布のプリーツ型マスクの顔面覆い部の上辺（２）と、当て布（Ａ）の隙間を解消できる。
【００１３】  当て布（Ａ）の材質を、ダブルガーゼ、オーガニックコットンで仕上げることにより、着け心地がやわらかく、保温性と保湿性に優れており、口の部分に口紅が付着しても、洗濯が出来ることで、当て布（Ａ）の取替えが可能となる。
【符号の説明】
【００１４】Ａ        当て布
１        不織布のプリーツ型マスク
２        顔面覆い部の上辺
３        顔面覆い部の下辺
４ａ、５ａ、６ａ    マスクの三箇所の両面テープ
４ｂ、５ｂ、６ｂ    取替え当て布の三箇所の両面テープ
７        綿
【図１】
2018104875.tif 000003
【図２】
2018104875.tif 000004
【図３】
2018104875.tif 000005
【図４】
2018104875.tif 000006
【図５】
2018104875.tif 000007
(57)【要約】      （修正有）【課題】建物部屋内部から壁面や天井面の下地材と柱に防災フレームを連結して取り付けることで、地震災害時に建物が揺れた場合、建物部屋内部の壁面と天井面の縁切れと壁面と天井面の急な倒壊を抑制できることと、家電や家具の転倒防止金具も取付けできる、安全性と実用性の向上を図り丈夫な部屋に変える防災フレームを提供する。【解決手段】防災フレーム１の材質を木材や軽量鉄骨材に限定せずに丈夫な材質とし、防災フレーム１を建物部屋内部９から壁面５の下地材と柱８に連結金物６とネジ７で固定すると共に、天井面４に取り付ける場合は天井面４の下地材も同時に連結金物６とネジ７で固定することができ、地震災害時には建物部屋内部９の壁面５と天井面４の縁切れと壁面５と天井面４の急な倒壊を抑制できると共に、家電や家具の転倒防止金具１０も取付けできる。【選択図】図２
2018127870.tif 000002
【特許請求の範囲】
【請求項１】
防災フレームの材質は木材や軽量鉄骨材だけに限定せず、建物部屋内部から壁面や天井面の下地材と柱に固定できる丈夫な材質で、地震災害時に建物部屋内部の壁面と天井面の縁切れと壁面と天井面の急な倒壊を抑制することができることを特徴とする防災フレーム。
【請求項２】
前記防災フレームは、建物部屋内部から壁面の下地材と柱に連結金物とネジで固定すると共に、天井面に取り付ける場合は天井面の下地材も同時に連結金物とネジで固定することができる請求項１に記載の防災フレーム。
【請求項３】
前記防災フレームは、家電や家具の転倒防止金具を取付けでき、防災フレームどうしを連結金物で固定することができる請求項１〜２に記載の防災フレーム。
【発明の詳細な説明】
【技術分野】
【０００１】本考案は、建物部屋内部から壁面や天井面の下地材と柱に連結して取り付ける防災フレームに関し、特に地震災害時による建物部屋内部の壁面と天井面の縁切れと壁面と天井面の急な倒壊を抑制でき、家電や家具の転倒防止金具も取り付けできる防災フレームに関する。
【背景技術】
【０００２】過去の日本の建築基準法規格で建築された木造建物で特に軸組工法の建物は、柱に金物補強や柱と柱の間に筋交が施工されていない建物が多く、地震災害時には建物の壁面や天井面が急に倒壊し人間が下敷きになることや、また家電や家具の下敷きにもなる可能性がある。
【先行技術文献】
【特許文献】
【０００３】
【特許文献１】特開平０９−１７７３６３
【特許文献２】実録３０２００９５
【発明の概要】
【発明が解決しようとする課題】
【０００４】しかしながら、従来の建物の補強は既存の内装材を一度取壊し、柱に金物補強や柱と柱の間に筋交を取り付けて補強したり面材により補強したりしなければならず、新しく直した内装材までも取り壊さなければならないという問題があった。【０００５】一方、内装材の復旧工事に費用が必要なことと、工事期間が長いという問題があった。【０００６】本考案は、上記した課題を解決すべくなされたものであり、地震災害時の対策として既存の内装材をほとんど壊すことなく建物部屋内部から壁面や天井面の下地材と柱に防災フレームを連結して取り付けでき、復旧工事の費用や工事期間を費やさないで、建物部屋内部の壁面と天井面の縁切れと壁面と天井面の急な倒壊を抑制すると共に、家電や家具の転倒防止金具が取付けできる防災フレームを提供することを目的とするものである。
【課題を解決するための手段】
【０００７】上記した目的を達成するため、本考案は建物部屋内部から壁面や天井面の下地材と柱に防災フレームを連結して取り付けることで、地震災害時に建物部屋内部の壁面と天井面の縁切れと壁面と天井面の急な倒壊を抑制でき、また家電や家具の転倒防止金具を取り付けできることを特徴とする。【０００８】そして、防災フレームの材質は木材や軽量鉄骨材だけに限定せず、建物部屋内部から壁面と天井面を固定できる丈夫な材質であることが好ましい。【０００９】また、本考案に係る防災フレームにおいて、建物部屋内部から壁面の下地材と柱に連結金物とネジで固定すると共に、天井面に取り付ける場合は天井面の下地材も同時に連結金物とネジで固定することが好ましい。【００１０】さらに、本考案に係る防災フレームにおいて、家電や家具の転倒防止金具を取付けでき、防災フレームどうしの連結部分は連結金物で固定することが好ましい。
【発明の効果】
【００１１】本考案によれば、建物部屋内部の内装材をほとんど取り壊すことなく、建物部屋内部から壁面や天井面の下地材と柱に防災フレームを連結して取り付けることで、地震災害時に建物部屋内部の壁面と天井面が一体化となり建物部屋内部の壁面と天井面の縁切れと壁面と天井面の急な倒壊を抑制し、人間が倒壊した部屋の壁面や天井面の下敷きにならないように壁面と天井面を固定できることと、家電や家具の転倒防止金具を取付けでき家電や家具も固定する役割を果たすことができる。
【図面の簡単な説明】
【００１２】
【図１】本考案の実施の形態に係る防災フレームを示す部材図である。
【図２】本考案の実施の形態に係る防災フレームを示す取り付け設置図である。
【発明を実施するための形態】
【００１３】以下、図面を参照しつつ、本考案の防災フレーム及び防災フレームの取り付けについて例示説明する。
【実施例１】
【００１４】本考案の実施の形態に係る防災フレーム１は、建物部屋内部９の壁面５と天井面４の縁切れと壁面５と天井面４の急な倒壊を抑制する部材であり、壁面５の下地材と柱８に防災フレーム１を連結金物６とネジ７で固定することができる部材である。【００１５】防災フレーム１は、建物部屋内部９から壁面５の下地材と柱８に連結金物６とネジ７で固定すると共に、天井面４に取り付ける場合は天井面４の下地材も同時に連結金物６とネジ７で固定することができる。【００１６】防災フレーム１は、家電や家具の転倒防止金具１０を取付けでき、防災フレーム１どうしの連結部分は連結金物６で固定することができる。【００１７】このように、上記した本考案の実施形態に係る防災フレーム１により、建物部屋内部９から壁面５と天井面４の下地材と柱８に連結および固定を簡単に行えるため汎用性を高めることができる。【００１８】また、建物部屋内部９から壁面５や天井面４の下地材と柱８に直接取り付けることができ、特に大きなスペースを必要としないので、見た目もスッキリとさせることができる。【００１９】なお、上記した形態における防災フレーム１の形状と連結金物６の形状や取付け方法は単なる例示にすぎず、本発明は権利範囲を限定するものと解釈されることを意図するものではない。
【産業上の利用可能性】
【００２０】防災フレーム１は、建物部屋内部９から壁面５や天井面４の柱に筋交い材や火打材としても使える他に、手摺り取付けの下地材としても使用することができる。
【符号の説明】
【００２１】１  防災フレーム
２  ネジ取り付け用の穴
３  床面（仕上げ材と下地材）
４  天井面（仕上げ材と下地材）
５  壁面（仕上げ材と下地材）
６  連結金物
７  ネジ
８  柱
９  建物部屋内部
１０  転倒防止金具
【図１】
2018127870.tif 000003
【図２】
2018127870.tif 000004